(57)【特許請求の範囲】
【請求項１】
透液性内面シートと、不透液性外面シートと、これら両シート間に介在する吸液性コアとからなり、前胴周り域と、後胴周り域と、これら両域の胴周り方向に位置する側部胴周り域とを有する使い捨て着用物品において、
前記側部胴周り域の少なくとも一部分が、互いに重なり合う通気性の２枚の不織布と、これら不織布の内面どうしを接合する接着剤とによって構成されており、
前記不織布は、胴周り方向に伸長性を有しており、
前記接着剤は、弾性伸縮性を有していて、非伸長状態の前記２枚の不織布に対して、前記胴周り方向において連続的であって前記着用物品の上下方向において間欠的となるように前記胴周り方向へ延びる複数条のストライプおよびスパイラルのいずれかを画いて塗布されていることを特徴とする前記着用物品。
【請求項２】
前記側部胴周り域が、開放型使い捨ておむつの前後胴周り域の少なくとも一方に形成されているウイング部分である請求項１に記載の着用物品。
【請求項３】
前記側部胴周り域が、パンツ型使い捨ておむつの側部胴周り部分である請求項１に記載の着用物品。
【発明の詳細な説明】
【０００１】
【発明の属する技術分野】
この発明は、使い捨てトレニングパンツ、使い捨て失禁パンツなどの使い捨て着用物品に関し、さらに詳しくは、側部胴周り域が胴周り方向へ伸縮性を有している該使い捨て着用物品に関する。
【０００２】
【従来の技術】
米国特許第４，９３８，７５３号公報には、胴周り方向に伸縮性を有するサイドパネルを備えたパンツ型使い捨ておむつが開示されている。サイドパネルは、伸縮性の織布や不織布、弾性材料からなるフィルム、弾性伸縮性で通気透液性のストレッチボンドされたラミネート等によって構成されている。ストレッチボンドとは、伸長状態の弾性部材と非伸長状態のシート部材とを接合する技術で、接合後に弾性部材の伸長が解けると、シートにギャザーが生じる。
【０００３】
【発明が解決しようとする課題】
前記公知の使い捨ておむつのサイドパネル、つまりおむつの側部胴周り域を通気性にするには、通気性の織布や不織布を使用すればよい。しかし、この側部に高い伸縮性をもたせることは、一般に難しい。織布や不織布だけで高い伸縮性を得ようとするならば、それら織布や不織布に比較的高価な弾性糸を使わなければならないことになる。そのことは、コスト競争の厳しい使い捨ておむつにとって非現実的である。織布や不織布を使用して前記公知技術のようなストレッチボンドされたラミネートを得るならば、比較的低コストで側部胴周り域に高い伸縮性を与えることができる。ただし、このおむつでは、側部胴周り域に多数のギャザーが生じて、ざらざらした肌触りとなり着用感の妨げとなるばかりでなく、ギャザーによってラミネートが折れ曲がり、互いに重なり合うことは、ラミネートを介してのおむつ内外の通気性の妨げにもなる。
【０００４】
そこで、この発明は、側部胴周り域に高い伸縮性と通気性とを有する使い捨て着用物品の提供を課題にしている。
【０００５】
【課題を解決するための手段】
前記課題を解決するために、この発明が前提とするのは、透液性内面シートと、不透液性外面シートと、これら両シート間に介在する吸液性コアとからなり、前胴周り域と、後胴周り域と、これら両域の胴周り方向に位置する側部胴周り域とを有する使い捨て着用物品である。
【０００６】
かかる前提において、この発明が特徴とするところは、前記側部胴周り域の少なくとも一部分が、互いに重なり合う通気性の２枚の不織布と、これら不織布の内面どうしを接合する接着剤とによって構成されており、前記不織布は、胴周り方向に伸長性を有しており、前記接着剤は、弾性伸縮性を有していて、非伸長状態の前記２枚の不織布に対して、前記胴周り方向において連続的であって前記着用物品の上下方向において間欠的となるように前記胴周り方向へ延びる複数条のストライプおよびスパイラルのいずれかを画いて塗布されていること、にある。
【０００７】
【０００８】
【０００９】
【００１０】
【００１１】
この発明の実施態様の一つにおいて、前記側部胴周り域が、開放型使い捨ておむつの前後胴周り域の少なくとも一方に形成されているウイング部分である。
【００１２】
この発明の実施態様のさらに他の一つにおいて、前記側部胴周り域が、パンツ型使い捨ておむつの側部胴周り部分である。
【００１３】
【発明の実施の形態】
この発明に係る使い捨て着用物品としておむつを例にとり、添付の図面を参照して、その詳細を説明すると、以下のとおりである。
【００１４】
図１，２は、使い捨ておむつ１の内面側を示す部分破断平面図と、このおむつ１が着用状態にあるときの斜視図である。
【００１５】
おむつ１は、透液性内面シート２と、不透液性外面シート３と、これら両シート２，３間に介在する吸液性コア４とによって構成されたおむつ本体６を有する。本体６は、前胴周り域７と、後胴周り域８と、これら両域７，８間に位置する股下域９とを有し、前後胴周り域７，８それぞれの側縁部には、本体６の外方へ向かって延びる一対の前ウイング１２と、一対の後ウイング１３とが取り付けられている。これら前後ウイング１２，１３は、着用状態にあるときのおむつの側部胴周り域を形成する。前後ウイング１２，１３のうちの後ウイング１３は、仮想線で示されるように図１のおむつ本体６の幅方向へ（図２でいえば、おむつ１の周り方向へ）伸縮可能に形成されているが、前ウイング１２は幅方向へ実質的に伸長不能に形成されている。
【００１６】
本体６では、前後方向へ長く形成されているコア４の周縁から外方へ内外面シート２，３が延出し、その延出する部分で両シート２，３が後記ホットメルト接着剤１６を介して互いに接合し、側縁部フラップ１１と前後の端縁部フラップ１７，１８とを形成している。各側縁部フラップ１１の少なくとも股下域９では、前後方向へ延びる複数条の脚周り弾性部材１９が内外面シート２，３間にあって、少なくとも一方のシートの内面に伸長状態で接合している。
【００１７】
図３，４は、図１のおむつ１における後胴周り域８の部分破断平面図と、図３のＩＶ−ＩＶ線断面図である。ウイング１３は内面を形成する第１シート２１と、外面を形成する第２シート２２と、これら第１，２シート２１，２２間に介在する接着剤２３とによって構成されている積層体であって、内外側縁部２６，２７と上下端縁部２８，２９とを有し、内側縁部２６の第２シート２２が本体６の側縁部１１において内面シート２の上面にホットメルト接着剤３１を介して接合している。外側縁部２７からは、内面に粘着剤３２が塗布されているテープファスナ３３が外方へ延出している。ファスナ３３の先端部３４は、内面に折り返されていて、非粘着の摘持域を形成している。
【００１８】
後ウイング１３において、第１，２シート２１，２２には、おむつ１の幅方向へ５０％伸長してから直ちに伸長力を解放したときの伸長量に対する残留歪みが５０％以下、より好ましくは３５％以下であって、坪量２０〜１５０ｇ／ｍ２を有する伸長性かつ通気性の不織布が使用されている。かかる不織布には、複合繊維が捲縮状態にあって伸縮性を示すスパンレース不織布やスパンボンド不織布がある。
【００１９】
これらの不織布どうしを接合するための接着剤２３には、５０％伸長してから直ちに伸長力を解放したときの伸長量に対する残留歪みが１５％以下、より好ましくは１０％以下の、弾性伸縮性ホットメルト接着剤が使用されている。この接着剤２３は、おむつ１の幅方向へ連続し、おむつ１の上下方向において間欠的に配置された複数条の線を画いて延びるように、例えば図３のように幅方向へ延びるスパイラルを画くように塗布されている。後ウイング１３が本体６から延出している部分において、接着剤２３が占める塗布面積は、後ウイング１３の通気性を極力妨げることがないように、５〜５０％の範囲にあることが好ましい。接着剤２３として好適なものの一例には、少なくともブロック共重合体１００重量部と、水素添加テルペン樹脂等の粘着樹脂２０〜２００重量部と、パラフィン系オイル等の軟化剤５〜１００重量部とを加熱下に混練して得られるホットメルト接着剤であって、そのブロック共重合体がブタジエン重合体、エチレンプロピレン重合体等の弾性重合体セグメントと、ポリスチレン含有量が１０〜６０重量％のポリスチレン重合体セグメントからなるものがある。この組成の接着剤は、約１６０°Ｃに設定された慣用のホットメルトアプリケータを使用すれば、容易に線状に塗布することができ、塗布後には優れたタック力を発揮する。
【００２０】
おむつ１の前ウイング１２は、後ウイング１３と同様な構成にすることもできるが、実質的に非伸長性の不織布やフィルム単体、または、これら不織布やフィルムの積層体にすることもできる。また、おむつ１は、前ウイング１２が胴周り方向に伸縮性であって、後ウイング１３が非伸長性であるように構成することも可能ではあるが、おむつ１を着用させるときの一般的な手順からすると、後ウイング１３は伸縮性であることが好ましい。
【００２１】
このように構成された使い捨ておむつ１を着用するときには、後ウイング１３を前胴周り域７方向へ伸長してテープファスナ３３を前ウイング１２または前胴周り域７の外面に止着する。後ウイング１３の第１，２シート２１，２２は、通気性不織布で構成されていて、着用状態のおむつの側部胴周り域を通気性にすることができる。かかる通気性を良好にするために、後ウイング１３と重なり合う前ウイング１２もまた通気性不織布で構成されていることが好ましい。さらに、後ウイング１３は、伸長するにつれて不織布の繊維間隙が拡大し、側部胴周り域の通気性を高めることもできる。
【００２２】
後ウイング１３は、伸縮性ホットメルト接着剤２３の存在によって弾性的に伸長するから、ファスナ３３を止着するときには、胴周り方向の締めつけ力を調整することが容易である。後ウイング１３は、伸縮性ではあっても、従来技術の使い捨ておむつのようなギャザーを持たないし、実質的にギャザーを派生することも少ないから、そうしたギャザーの存在による着用感の妨げ、例えばギャザーの存在によって肌触りがざらざらするとか、着用者の肌にギャザーの跡がつくといった問題を生じることがない。特に後ウイング１３の第１，２シートの残留歪みが５０％以下であると、おむつ１を着用するときに伸長された後ウイング１３は、一度前胴周り域７から剥がされた後でも比較的よく収縮して、多くのギャザーを生じることがない。それゆえ、後ウイング１３は、それを再度前胴周り域７に止着するようなことがあっても、ギャザーによって着用感を妨げるということがない。
【００２３】
図５は、この発明の実施態様の一例を示す図３と同様の図面である。このおむつ１の後ウイング１３では、伸縮性ホットメルト接着剤２３がおむつの幅方向へ直線状に延びる複数条のストライプを画いている。また、おむつ１のテープファスナ３３は、その先端部３４から後ウイング１３の外側縁部２７に近づくにつれて上下方向の寸法が大きくなるように構成されていて、ファスナ３３が引っ張られると、後ウイング１３は上下方向の広い範囲が一様に胴周り方向へ延びる。
【００２４】
図６もまた、この発明の実施態様の一例を示す図５と同様の図面である。このおむつ１の後ウイング１３は、ウイングの上下端縁部２８，２９に接着剤２３が塗布されているから、ファスナ３３が引っ張られると、ウイング１３は上下の幅方向全体がその引っ張りに対してよく追随する。
【００２５】
これらの図示例において、内面シート２に接合されている前後ウイング１２，１３は、外面シート３に接合されていてもよいし、内外面シート２，３でサンドウイッチにされるか、またはウイング１２，１３の第１，２シート２１，２２で内外面シート２，３がサンドウイッチされてもよい。おむつ１において、内面シート２には、熱可塑性合成繊維を５０重量％以上含む不織布や開孔を有する熱可塑性合成樹脂フィルムを使用できる。外面シート３には、熱可塑性合成樹脂フィルムを使用できる。これら不織布やフィルムは、非伸長性のものでもよいし、おむつ１の胴周り方向に伸長性を有するものでもよい。おむつ１の各部材の接合部位に伸長性が必要でないならば、ホットメルト接着剤の使用に代えて、部材を互いに溶着することもできる。おむつ１は、前後端縁部フラップ１７，１８の少なくとも一方に、胴周り方向へ延びる弾性部材を伸長状態で取り付けておくことができる。
【００２６】
図７，８は、この発明の一実施態様を示すパンツ型使い捨ておむつ１０１の斜視図と、そのＶＩＩＩ−ＶＩＩＩ線断面図である。おむつ１０１は、着用者の前後胴周り１０７，１０８と股下域１０９とを覆う本体１０６と、胴周りの側部域を覆う側部部材１１３とによって構成されている。本体１０６は、図１のおむつの本体６と同様に構成されていて、前後胴周り域１０７と１０８とが、それらの側縁部１１１に接合している側部部材１１３によって連結され、胴周り開口部５５と左右一対の脚周り開口部６５とを有する。
【００２７】
側部部材１１３は、前記不織布２１，２２と同効の、互いに重なり合う２枚の通気性不織布１２１，１２２と、これら両不織布１２１，１２２の内面どうしを接合している前記ホットメルト接着剤２３と同効の、弾性伸縮性のホットメルト接着剤１２３とによって構成されており、本体１０６の側縁部１１１に対しては、超音波処理による溶着部位１１５において接合している。胴周り方向に伸長性を有する接着剤１２３は、後ウイング１３の接着剤２３と同様に、おむつの胴周り方向において連続し、上下方向において並行する複数条のストライプを画いて塗布されている。不織布１２１，１２２は、非伸長状態下に接着剤１２３で接着され、この接着剤１２３もまた非伸長状態にある。
【００２８】
この発明は、実施態様で例とした使い捨ておむつ１，１０１の他に、使い捨てトレニングパンツや使い捨て失禁パンツ等の使い捨て着用物品として実施することができる。
【００２９】
【発明の効果】
この発明に係る使い捨て着用物品の側部胴周り域は、非伸長状態にある伸長性かつ通気性の不織布に非伸長状態にある接着剤が塗布されているから、この着用物品が着用されたときには、胴周り側部が伸長するにつれて不織布本来の繊維間隙が拡大して該側部の通気性が向上する。かかる胴周り側部には、ギャザーがないから、ギャザーによって着用感が妨げられたり、肌が痛められたりするという問題を同時に解消することができる。したがって、この発明は、着用物品が肌の弱い乳幼児用のおむつである場合、特に好適である。
【図面の簡単な説明】
【図１】使い捨ておむつの部分破断平面図。
【図２】着用状態にある図１のおむつの斜視図。
【図３】図１のおむつの要部破断図。
【図４】図３のＩＶ−ＩＶ線断面図。
【図５】実施態様の一例を示す図３と同様の図面。
【図６】実施態様の一例を示す図５と同様の図面。
【図７】実施態様の一例を示すパンツ型使い捨ておむつの斜視図。
【図８】図７のＶＩＩＩ−ＶＩＩＩ線断面図。
【符号の説明】
２        内面シート
３        外面シート
４        コア
７        前胴周り域
８        後胴周り域
１２      前ウイング（側部胴周り域）
１３      後ウイング（側部胴周り域）
２３      接着剤
１０７    前胴周り域
１０８    後胴周り域
１１３    側部部材（側部胴周り域）
１２３    接着剤
【図１】
0003784131.tif 000002
【図２】
0003784131.tif 000003
【図３】
0003784131.tif 000004
【図４】
0003784131.tif 000005
【図５】
0003784131.tif 000006
【図６】
0003784131.tif 000007
【図７】
0003784131.tif 000008
【図８】
0003784131.tif 000009